(57)【要約】【課題】操作パターン切換弁の切換レバーを容易に位置合わせでき、その切換状態を外部から容易に識別できる操作パターン切換状態表示装置を提供する。【解決手段】作業機械の操作レバーの動きと作業装置の動きとの関係を切換レバー２２により切換える操作パターン切換弁２１に、切換レバー２２が指し示す複数の切換位置に対してそれぞれ異なる複数の色２４１，２４２，２４３，２４４を配色したパターン色分け表示部２４を設ける。作業機械の運転室の透明な窓部材に操作パターンカード５３１，５３２，５３３，５３４の１つを設置する。操作パターンカード５３１，５３２，５３３，５３４は、操作パターン切換弁２１の切換レバー２２が指し示す切換位置での操作レバーの動きと作業装置の動きとの関係を表示するとともに、操作パターン切換弁２１の切換レバー２２が指し示すパターン色分け表示部２４の色２４１，２４２，２４３，２４４と同一色で色付けする。【選択図】        図１
2005009252.tif 000002
【特許請求の範囲】
【請求項１】
作業機械の操作レバーの動きとこの操作レバーにより操作される作業装置の動きとの関係を切換部により切換える操作パターン切換弁と、
操作パターン切換弁の切換部が指し示す複数の切換位置に対してそれぞれ異なる複数の色が配色されたパターン色分け表示部と
を具備したことを特徴とする操作パターン切換状態表示装置。
【請求項２】
作業機械の運転室に設置されたカードケースと、
カードケースに挿入されて操作パターン切換弁の切換部が指し示す切換位置での操作レバーの動きと作業装置の動きとの関係を表示するとともに操作パターン切換弁の切換部が指し示すパターン色分け表示部の色と同一色で色付けされた操作パターンカードと
を具備したことを特徴とする請求項１記載の操作パターン切換状態表示装置。
【請求項３】
カードケースは、運転室の透明な窓部材に設置され、
操作パターンカードは、透明な窓部材を透して色を外部より確認可能である
ことを特徴とする請求項２記載の操作パターン切換状態表示装置。
【請求項４】
操作パターンカードは、１枚の表面と裏面とに、操作パターン切換弁の切換部が指し示す切換位置での操作レバーの動きと作業装置の動きとの関係を表示するとともに操作パターン切換弁の切換部が指し示すパターン色分け表示部の色と同一色で色付けされた表示面部をそれぞれ有する
ことを特徴とする請求項２記載の操作パターン切換状態表示装置。
【請求項５】
操作パターン切換弁は、油圧ショベルの操作レバーの動きとこの操作レバーにより操作される作業装置の動きとの関係を切換える
ことを特徴とする請求項１乃至４のいずれか記載の操作パターン切換状態表示装置。
【発明の詳細な説明】
【０００１】
【発明の属する技術分野】
本発明は、作業機械の操作レバーの動きとこの操作レバーにより操作される作業装置の動きとの関係を切換えた状態を表示する操作パターン切換状態表示装置に関する。
【０００２】
【従来の技術】
図７に示されるように、油圧ショベルにおいては、下部走行体Ａの上部に上部旋回体Ｂが旋回自在に設けられ、この上部旋回体Ｂにキャブすなわち運転室Ｃと、作業装置Ｄとが搭載されている。
【０００３】
運転室Ｃ内では、オペレータ運転席の左右部に操作レバー（図示せず）がそれぞれ設けられ、これらの操作レバーの操作パターン（以下、単に「レバーパターン」という）は、例えば、右レバーの前後方向操作はスティック操作、左右方向操作はバケット操作と言うように、現在は日本工業規格（以下、日本工業規格を「ＪＩＳ」という）で統一されている。
【０００４】
しかしながら、ＪＩＳで統一される以前は、各メーカによりそのレバーパターンは様々であり、現在もその油圧ショベルが使用されている。このためオぺレータによっては、ＪＩＳパターン以外のレバーパターンに馴染んでいる人も多い。
【０００５】
そこで、運転室Ｃの床下Ｅなどに、ＪＩＳパターンを含めた４通りの操作パターンがワンタッチで切り換えられる操作パターン切換弁とその配管をオプションで設定し、ユーザの要望に対応している（例えば、特許文献１参照）。
【０００６】
実際の操作パターン切換弁の切換を説明すると、図８に示されるように運転室の床下Ｅに設置された操作パターン切換弁１１の切換レバー１２を回動して、そのレバー取付面１３に打刻された４箇所の数字１〜４の位置、例えばＡ社パターンは「１」、Ｂ社パターンは「２」、ＪＩＳパターンは「３」、Ｃ社パターンは「４」に切換レバー１２を位置合せするように切換えて、この切換レバー１２を蝶ボルト１４によりレバー取付面１３に固定し、このとき、図９に示されるように操作パターン切換弁１１の切換位置に打刻された数字１，２と対応し得る切換パターン１５１，１５２を表裏に表示した操作パターンカード１５Ａと、操作パターン切換弁１１の切換位置に打刻された数字３，４と対応し得る切換パターン１５３，１５４を表裏に表示した操作パターンカード１５Ｂとを、運転室の窓ガラスに貼付されたカードケース（図示せず）内に挿入しておいて、操作パターン切換弁１１を切換操作するたびに、その切換位置に打刻された数字と対応する切換パターンを有する操作パターンカード１５Ａまたは１５Ｂの表裏いずれかの面が操縦席側に向くように、カードケース内の操作パターンカード１５Ａ，１５Ｂの順番および向きを入れ替えて、この面に表示された操作パターン切換弁１１の切換状態を操縦席側から確認できるようにしておくことが行なわれている。
【０００７】
図１０に示されるように、操作パターン切換弁１１のレバー取付面１３に切換レバー１２とともにホースアクセス用のカバー１６が取付けられたタイプでは、図１１に示されるように、切換レバー図１２ａ、カバー図１６ａおよび切換位置の打刻された数字１〜４とともに、各切換パターン図１７１，１７２，１７３，１７４を表示した操作パターン切換説明フィルム１８を、運転室の窓などに貼付しておいても良い。
【０００８】
【特許文献１】
特開２０００−９６６２６号公報（第３頁、図１−３）
【０００９】
【発明が解決しようとする課題】
従来や大型の機種では、上記操作パターン切換弁１１が車体の見えやすい場所に設置されているが、最近の油圧ショベルの小型化、小旋回化またはミニショベル化で、特許文献１に示されるように操作パターン切換弁１１の搭載位置が運転室の床下や、またはコントロール弁側スペースの一部になることが多くなってきている。
【００１０】
このため、操作パターン切換弁１１に打刻された数字１〜４が見えづらく、切換レバー１２の位置合わせを容易にできない問題がある。
【００１１】
また、運転室内に設置された操作パターンカード１５Ａ，１５Ｂの切換パターン１５１，１５２，１５３，１５４の中から選択された１つは、その図自体は模式化されたもので分かり易いが、車両の外から見た場合は、その識別が困難であり、確認の際には車両にいちいち搭乗しなければならない。
【００１２】
本発明は、このような点に鑑みなされたもので、操作パターン切換弁の切換部を容易に位置合わせできるとともに、操作パターン切換弁の切換状態を外部から容易に識別できる操作パターン切換状態表示装置を提供することを目的とするものである。
【００１３】
【課題を解決するための手段】
請求項１に記載された発明は、作業機械の操作レバーの動きとこの操作レバーにより操作される作業装置の動きとの関係を切換部により切換える操作パターン切換弁と、操作パターン切換弁の切換部が指し示す複数の切換位置に対してそれぞれ異なる複数の色が配色されたパターン色分け表示部とを具備した操作パターン切換状態表示装置であり、操作パターン切換弁の切換部が指し示す切換位置にパターン色分け表示部で色分け表示された色を識別することで、従来のように打刻された数字のみを読む場合より、操作パターン切換弁の切換部の位置合わせや位置識別、確認を容易にできる。
【００１４】
請求項２に記載された発明は、請求項１記載の操作パターン切換状態表示装置において、作業機械の運転室に設置されたカードケースと、カードケースに挿入されて操作パターン切換弁の切換部が指し示す切換位置での操作レバーの動きと作業装置の動きとの関係を表示するとともに操作パターン切換弁の切換部が指し示すパターン色分け表示部の色と同一色で色付けされた操作パターンカードとを具備した操作パターン切換状態表示装置であり、カードケースに挿入された操作パターンカードも操作パターン切換弁の切換部が指し示すパターン色分け表示部の色と同一の色分けを施したので、この操作パターンカードの色分けを見ることにより、操作パターン切換弁の切換状態、すなわち作業機械の操作パターン状況を容易に識別、確認でき、さらに、操作パターン切換弁と操作パターンカードの両方に共通の色分けがなされたので、従来の打刻された数字や操作パターンカードの数字を読む場合より、色の一致確認により、実際の操作パターン切換弁と操作パターンカードとの一致確認を容易かつ的確にできる。
【００１５】
請求項３に記載された発明は、請求項２記載の操作パターン切換状態表示装置におけるカードケースが、運転室の透明な窓部材に設置され、操作パターンカードは、透明な窓部材を透して色を外部より確認可能なものであり、作業機械の運転室に設けられた透明な窓部材に設置されたカードケースに操作パターンカードを挿入して、操作パターン切換弁と同一の色分けを施した操作パターンカードの色を、作業機械の外部からでも運転室の窓部材を透して見分けることができるので、操作パターン切換弁の切換状態、すなわち作業機械の操作パターン状況を外部からでも瞬時に識別、確認できる。
【００１６】
請求項４に記載された発明は、請求項２記載の操作パターン切換状態表示装置における操作パターンカードが、１枚の表面と裏面とに、操作パターン切換弁の切換部が指し示す切換位置での操作レバーの動きと作業装置の動きとの関係を表示するとともに操作パターン切換弁の切換部が指し示すパターン色分け表示部の色と同一色で色付けされた表示面部をそれぞれ有するものであり、１枚の操作パターンカードの表面と裏面とに、操作パターン切換弁の切換部が指し示す切換位置での操作レバーの動きと作業装置の動きとの関係を表示するとともに操作パターン切換弁の切換部が指し示すパターン色分け表示部と同一色で色付けされた表示面部をそれぞれ有するので、使用する操作パターンカードの枚数を半減させることができるとともに、全ての操作パターンカードをカードケースに収納できる。
【００１７】
請求項５に記載された発明は、請求項１乃至４のいずれか記載の操作パターン切換状態表示装置における操作パターン切換弁が、油圧ショベルの操作レバーの動きとこの操作レバーにより操作される作業装置の動きとの関係を切換えるものであり、油圧ショベルの操作レバーの動きと作業装置の動きとの複雑な関係を切換えたり、識別、確認したりする際は、従来のように打刻された数字や操作パターンカードの数字を読む場合より、色分けによる識別の方が、様々な場面での切換操作、確認作業を容易かつ的確にでき、人為的ミスを減らすことができるとともに、作業性を向上できる。
【００１８】
【発明の実施の形態】
以下、本発明を図１乃至図４に示された一実施の形態、図５に示された他の実施の形態、図６に示されたさらに別の実施の形態を参照しながら詳細に説明する。なお、作業機械としての油圧ショベルは、図７に示されたものを参照する。
【００１９】
図１（ａ）には、操作パターン切換弁２１が示されている。この操作パターン切換弁２１は、油圧ショベルの操作レバーの動きと、この操作レバーにより操作される作業装置Ｄの動きとの関係を、切換部としての切換レバー２２により切換えるバルブであり、「コントロール  パターン  クイック  チェンジャ」とも呼ばれている。
【００２０】
操作パターン切換弁２１のレバー取付面２３には、操作パターン切換弁２１の切換レバー２２が指し示すとともに打刻された数字１〜４で表わされる複数の切換位置に対してそれぞれ異なる複数の色２４１，２４２，２４３，２４４が配色されたパターン色分け表示部２４が、色分け塗装または色分けシールの貼付などにより形成されている。
【００２１】
このパターン色分け表示部２４は、打刻された数字１で表わされるＡ社製油圧ショベルパターンの色２４１は例えば「オレンジ色」、打刻された数字２で表わされるＢ社製油圧ショベルパターンの色２４２は例えば「青色」、打刻された数字３で表わされるＪＩＳパターンの色２４３は例えば「白色」、打刻された数字４で表わされるＣ社製油圧ショベルパターンの色２４４は例えば「黄色」などに色分けをする。
【００２２】
図２に示されるように、操作パターン切換弁２１は、ケーシング３１の内部にスリーブ３２が嵌着されて固定され、さらに、このスリーブ３２の内部にシャフト３３が回動自在に嵌合されている。
【００２３】
ケーシング３１には、オペレータ運転席の左右部にそれぞれ設置された操作レバー３４により手動操作されてパイロット油圧を発生させる例えば４組の操作弁３５がそれぞれ接続される例えば８個の操作弁側ポート３６が設けられるとともに、各操作弁３５からのパイロット油圧によりパイロット作動されるコントロール弁３７のスプール（旋回モータ制御用スプール、ブームシリンダ制御用スプール、スティックシリンダ制御用スプール、バケットシリンダ制御用スプール）３７ａの各パイロット圧作用部３７ｂにそれぞれ連通される例えば８個のコントロール弁側ポート３８が設けられている。
【００２４】
さらに、スリーブ３２およびシャフト３３の内部には、例えば８個の操作弁側ポート３６と、例えば８個のコントロール弁側ポート３８とが連通する組合せを、シャフト３３の回転角度により変更する多数の通路３９が形成されている。
【００２５】
シャフト３３は、デテント機構４１により４方向位置で位置決めされ、また、シャフト３３の一端軸部３３ａに半径方向に切換レバー２２が嵌着され、この切換レバー２２に軸方向に挿脱可能の蝶ボルト４２が挿入され、この蝶ボルト４２の先端部がケーシング３１の端板部４３の４方向角度位置にそれぞれ設けられたねじ穴４４の１つに螺入されることで、４方向角度位置で選択的に固定可能となっている。
【００２６】
なお、前記操作弁３５は、パイロットポンプ４５から供給されたパイロット油圧を制御して、コントロール弁３７のスプール３７ａの変位量を制御し、また、コントロール弁３７は、メインポンプ４６から供給された作動油を制御して、作業装置Ｄなどに用いられている油圧アクチュエータ４７の動作を制御する。
【００２７】
さらに、図３に示されるように、油圧ショベルのキャブすなわち運転室Ｃに設けられた透明な窓部材５１にカードケース５２が設置され、このカードケース５２に、着色された操作パターンカード５３が挿入されている。
【００２８】
カードケース５２は、図４に示されるように、透明な窓部材５１の内側面に両面粘着テープ５４により固定される背板部５５に、操作パターンカード５３の上方からの挿入を案内する左右のガイド部５６と、操作パターンカード５３の挿入を係止する底部の係止部５７とが、一体に設けられたものであり、このカードケース５２の全高は、操作パターンカード５３の高さより低く形成されている。
【００２９】
したがって、このカードケース５２の係止部５７まで挿入された操作パターンカード５３は、図３に示されるように、その上部がカードケース５２より突出するので、カードケース５２が非透明部材であっても、少なくとも操作パターンカード５３の上部は、透明な窓部材５１を透して外部より透視できる。なお、カードケース５２が透明部材である方が、操作パターンカード５３に付けられた色を外部から透明な窓部材５１およびカードケース５２を透して確認し易いので、望ましい。
【００３０】
操作パターンカード５３は、図１（ｂ）、（ｃ）、（ｄ）、（ｅ）に示される操作パターンカード５３１，５３２，５３３，５３４のように、操作パターン切換弁２１の切換レバー２２が指し示す切換位置での操作レバー３４の動きと作業装置Ｄの動きとの関係を表示するとともに、図１（ａ）に示されるように操作パターン切換弁２１の切換レバー２２が指し示すパターン色分け表示部２４の色２４１，２４２，２４３，２４４と同一色で色付けされ、この色を透明な窓部材５１を透して外部より確認可能なものである。
【００３１】
例えば、図１（ｂ）に示される操作パターンカード５３１は、打刻された数字１で表わされるＡ社製油圧ショベルパターンであるから、色２４１と同様に「オレンジ色」に、図１（ｃ）に示される操作パターンカード５３２は、打刻された数字２で表わされるＢ社製油圧ショベルパターンであるから、色２４２と同様に「青色」に、図１（ｄ）に示される操作パターンカード５３３は、打刻された数字３で表わされるＪＩＳパターンであるから、色２４３と同様に「白色」に、図１（ｅ）に示される操作パターンカード５３４は、打刻された数字４で表わされるＣ社製油圧ショベルパターンであるから、色２４４と同様に「黄色」に色分けされている。
【００３２】
図５は、他の実施の形態を示し、操作パターン切換弁２１の上面にホースアクセス用のカバー５８が取付けられたものであり、このようなカバー５８が取付けられている場合は、このカバー５８に色分け塗装するか、または色分けシールを貼付することにより、操作パターン切換弁２１の切換レバー２２が指し示す複数の切換位置に対してそれぞれ異なる複数の色２４１，２４２，２４３，２４４が配色されたパターン色分け表示部２４が形成されている。なお、図１に示されたものと同様の部分には同一符号を付して、その説明を省略する。
【００３３】
次に、これらの実施の形態の作用効果を説明する。
【００３４】
図１（ａ）に示されたように、操作パターン切換弁２１の切換レバー２２が、打刻された数字３の切換位置で蝶ボルト４２により固定されている場合、この切換レバー２２は、操作パターン切換弁２１のパターン色分け表示部２４にあってＪＩＳパターンを表わす色２４３すなわち「白色」領域上にあるので、この切換レバー位置と同様にＪＩＳパターンを表わす「白色」の操作パターンカード５３３を、透明な窓部材５１に設置されたカードケース５２に挿入しておく。
【００３５】
操作パターン切換弁２１の切換レバー２２を回動して、この切換レバー２２を、例えば打刻された数字１の切換位置で蝶ボルト４２により固定した場合は、この切換レバー２２が、操作パターン切換弁２１のパターン色分け表示部２４にあってＡ社製油圧ショベルパターンを表わす色２４１すなわち「オレンジ色」領域上にあるので、この切換レバー位置と同様にＡ社製油圧ショベルパターンを表わす「オレンジ色」の操作パターンカード５３１を、カードケース５２内の「白色」の操作パターンカード５３３と差し替える。
【００３６】
このようにして、図１（ａ）に示された操作パターン切換弁２１のレバー取付面２３に、または図５（ａ）に示された操作パターン切換弁２１の上面にカバー５８が付いているものではそのカバー５８に、操作パターン切換弁２１の切換レバー２２が指し示す切換位置を表示するパターン色分け表示部２４を色分け塗装するか、または色分けシールを貼付したので、切換レバー２２が指し示す切換位置に色分け表示された色を識別することで、従来のように打刻された数字１〜４のみを読む場合より、操作パターン切換弁２１の切換レバー２２の位置合わせや位置識別、確認を容易にできる。
【００３７】
また、カードケース５２に挿入される操作パターンカード５３１，５３２，５３３，５３４も操作パターン切換弁２１の色２４１，２４２，２４３，２４４と同一の色分けを施したので、これらの操作パターンカード５３１，５３２，５３３，５３４の色分けを見ることにより、操作パターン切換弁２１の切換状態、すなわち油圧ショベルの操作パターン状況を容易に識別、確認できるようになる。
【００３８】
特に、作業機械の運転室Ｃに設けられた透明な窓部材５１に設置されたカードケース５２に操作パターンカード５３１，５３２，５３３，５３４の１つを挿入して、操作パターン切換弁２１と同一の色分けを施した操作パターンカード５３１，５３２，５３３，５３４の１つの色を、油圧ショベルの外部からでも運転室Ｃの窓部材５１を透して見分けることができるので、操作パターン切換弁２１の切換状態、すなわち油圧ショベルの操作パターン状況を外部からでも瞬時に識別、確認できるようになる。
【００３９】
これにより、多数の車両を保有する例えば大手建設会社やレンタル会社にとって、搭乗の手間が省けて車両メンテナンス作業の作業能率を大いに改善できるものである。
【００４０】
さらに、操作パターン切換弁２１のパターン色分け表示部２４と操作パターンカード５３１，５３２，５３３，５３４の両方に共通の色分けがなされたので、従来の打刻された数字１〜４や、操作パターンカード１５Ａ，１５Ｂの切換パターン１５１，１５２，１５３，１５４の数字を読む場合より、色の一致確認により、実際の操作パターン切換弁２１の切換位置と操作パターンカード５３１，５３２，５３３，５３４との一致確認も、容易かつ的確にできる。
【００４１】
次に、図６に示されたさらに別の実施の形態を説明すると、カードケース５２に複数枚の、例えば２枚の操作パターンカード５３Ａ，５３Ｂを挿入しておく場合は、運転室Ｃの内側から操作パターンとともにその色を確認する必要があるので、カードケース５２は、透明でない方が望ましく、また、各操作パターンカード５３Ａ，５３Ｂには、それらの表面と裏面とに、それぞれ下記のような操作パターン表示と色分け表示とをすることが、カード枚数を節約する上で望ましい。
【００４２】
第１の操作パターンカード５３Ａの表面には、図６（ｂ）に示されるように、操作パターン切換弁２１の切換レバー２２が指し示す切換位置での操作レバー３４の動きと作業装置Ｄの動きとの関係（Ａ社製油圧ショベルパターン）を表示するとともに操作パターン切換弁２１の切換レバー２２が指し示すパターン色分け表示部２４の色２４１と同一色「オレンジ色」で色付けされた表示面部５３１Ａを有する。
【００４３】
この第１の操作パターンカード５３Ａの裏面には、図６（ｃ）に示されるように、操作パターン切換弁２１の切換レバー２２が指し示す切換位置での操作レバー３４の動きと作業装置Ｄの動きとの関係（Ｂ社製油圧ショベルパターン）を表示するとともに操作パターン切換弁２１の切換レバー２２が指し示すパターン色分け表示部２４の色２４２と同一色「青色」で色付けされた表示面部５３２Ａを有する。
【００４４】
第２の操作パターンカード５３Ｂの表面には、図６（ｄ）に示されるように、操作パターン切換弁２１の切換レバー２２が指し示す切換位置での操作レバー３４の動きと作業装置Ｄの動きとの関係（ＪＩＳパターン）を表示するとともに操作パターン切換弁２１の切換レバー２２が指し示すパターン色分け表示部２４の色２４３と同一色「白色」で色付けされた表示面部５３３Ｂを有する。
【００４５】
この第２の操作パターンカード５３Ｂの裏面には、図６（ｅ）に示されるように、操作パターン切換弁２１の切換レバー２２が指し示す切換位置での操作レバー３４の動きと作業装置Ｄの動きとの関係（Ｃ社製油圧ショベルパターン）を表示するとともに操作パターン切換弁２１の切換レバー２２が指し示すパターン色分け表示部２４の色２４４と同一色「黄色」で色付けされた表示面部５３４Ｂを有する。
【００４６】
そして、これらの操作パターンカード５３Ａ，５３Ｂは、図６（ａ）に示されるように現在用いている操作パターンと色とを表示している表示面部５３３Ｂを、カードケース５２のガイド部５６，５６間に位置させて、運転室Ｃ内の操縦席側から確認できるようにし、また、例えば、この表示面部５３３Ｂを表示面部５３１Ａに切換える場合は、その操作パターンカード５３Ａを操作パターンカード５３Ｂの手前側（操縦席側）に差替えるようにする。
【００４７】
この図６に示された実施の形態によれば、１枚の操作パターンカード５３Ａまたは５３Ｂの表面と裏面とに、操作レバー３４の動きと作業装置Ｄの動きとの関係を表示するとともに操作パターン切換弁２１の切換レバー２２が指し示すパターン色分け表示部２４と同一色で色付けされた表示面部５３１Ａ，５３２Ａまたは５３３Ｂ，５３４Ｂをそれぞれ有するので、使用する操作パターンカードの枚数を半減させることができるとともに、全ての操作パターンカードをカードケース５２に収納できる。
【００４８】
また、このような操縦席側に設置された操作パターンカード５３Ａまたは５３Ｂの表示面部５３１Ａ、５３２Ａ、５３３Ｂ、５３４Ｂの各操作パターンおよび色は、オペレータ搭乗口側に設けられたドアの窓を透して、あるいはドアを開けて、場合によっては前窓を透して、それぞれ外部からも確認することができる。
【００４９】
以上のように、油圧ショベルの操作レバー３４の動きと作業装置Ｄの動きとの複雑な関係を切換えたり、識別、確認したりする際は、従来のように打刻された数字１〜４や操作パターンカード１５Ａ，１５Ｂの切換パターン１５１，１５２，１５３，１５４の数字を読む場合より、色分けによる識別の方が、様々な場面での切換操作、確認作業を容易かつ的確にでき、人為的ミスを減らすことができるとともに、作業性を向上できる。
【００５０】
【発明の効果】
請求項１記載の発明によれば、操作パターン切換弁の切換部が指し示す切換位置にパターン色分け表示部で色分け表示された色を識別することで、従来のように打刻された数字のみを読む場合より、操作パターン切換弁の切換部の位置合わせや位置識別、確認を容易にできる。
【００５１】
請求項２記載の発明によれば、カードケースに挿入された操作パターンカードも操作パターン切換弁の切換部が指し示すパターン色分け表示部の色と同一の色分けを施したので、この操作パターンカードの色分けを見ることにより、操作パターン切換弁の切換状態、すなわち作業機械の操作パターン状況を容易に識別、確認でき、さらに、操作パターン切換弁と操作パターンカードの両方に共通の色分けがなされたので、従来の打刻された数字や操作パターンカードの数字を読む場合より、色の一致確認により、実際の操作パターン切換弁と操作パターンカードとの一致確認を容易かつ的確にできる。
【００５２】
請求項３記載の発明によれば、作業機械の運転室に設けられた透明な窓部材に設置されたカードケースに操作パターンカードを挿入して、操作パターン切換弁と同一の色分けを施した操作パターンカードの色を、作業機械の外部からでも運転室の窓部材を透して見分けることができるので、操作パターン切換弁の切換状態、すなわち作業機械の操作パターン状況を外部からでも瞬時に識別、確認できる。
【００５３】
請求項４記載の発明によれば、１枚の操作パターンカードの表面と裏面とに、操作パターン切換弁の切換部が指し示す切換位置での操作レバーの動きと作業装置の動きとの関係を表示するとともに操作パターン切換弁の切換部が指し示すパターン色分け表示部と同一色で色付けされた表示面部をそれぞれ有するので、使用する操作パターンカードの枚数を半減させることができるとともに、全ての操作パターンカードをカードケースに収納できる。
【００５４】
請求項５記載の発明によれば、油圧ショベルの操作レバーの動きと作業装置の動きとの複雑な関係を切換えたり、識別、確認したりする際は、従来のように打刻された数字や操作パターンカードの数字を読む場合より、色分けによる識別の方が、様々な場面での切換操作、確認作業を容易かつ的確にでき、人為的ミスを減らすことができるとともに、作業性を向上できる。
【図面の簡単な説明】
【図１】（ａ）は本発明の操作パターン切換状態表示装置に係る操作パターン切換弁の一実施の形態を示す側面図であり、（ｂ）、（ｃ）、（ｄ）、（ｅ）は色分けされた操作パターンカードを示す正面図である。
【図２】同上操作パターン切換弁の断面図および使用例を示す回路図である。
【図３】同上操作パターンカードが設置される運転室の一部切欠き側面図である。
【図４】（ａ）は同上操作パターンカードを設置するカードケースの一例を示す平面図、（ｂ）はその正面図である。
【図５】（ａ）は本発明の操作パターン切換状態表示装置に係る操作パターン切換弁の他の実施の形態を示す側面図であり、（ｂ）、（ｃ）、（ｄ）、（ｅ）は色分けされた操作パターンカードを示す正面図である。
【図６】（ａ）は本発明の操作パターン切換状態表示装置のさらに別の実施の形態を示すカードケース内に収納された第１および第２の操作パターンカードの正面図であり、（ｂ）は第１の操作パターンカードの表面を示す正面図、（ｃ）は第１の操作パターンカードの裏面を示す背面図、（ｄ）は第２の操作パターンカードの表面を示す正面図、（ｅ）は第２の操作パターンカードの裏面を示す背面図である。
【図７】油圧ショベルの側面図である。
【図８】従来の操作パターン切換弁の一設置例を示す斜視図である。
【図９】従来の操作パターンカードを示す正面図である。
【図１０】従来の操作パターン切換弁の他の設置例を示す斜視図である。
【図１１】従来の操作パターン切換説明フィルムを示す正面図である。
【符号の説明】
Ｃ    運転室
Ｄ    作業装置
２１    操作パターン切換弁
２２    切換部としての切換レバー
２４    パターン色分け表示部
２４１，２４２，２４３，２４４    色
３４    操作レバー
５１    窓部材
５２    カードケース
５３，５３１，５３２，５３３，５３４    操作パターンカード
５３Ａ，５３Ｂ    操作パターンカード
５３１Ａ，５３２Ａ，５３３Ｂ，５３４Ｂ    表示面部
【図１】
2005009252.tif 000003
【図２】
2005009252.tif 000004
【図３】
2005009252.tif 000005
【図４】
2005009252.tif 000006
【図５】
2005009252.tif 000007
【図６】
2005009252.tif 000008
【図７】
2005009252.tif 000009
【図８】
2005009252.tif 000010
【図９】
2005009252.tif 000011
【図１０】
2005009252.tif 000012
【図１１】
2005009252.tif 000013